(57)【要約】  【課題】  貯蔵物を整理できるとともに収納効率を向上できる冷蔵庫を提供する。  【解決手段】  前面から引き出して貯蔵物Ｗを収納する上下に並んで配される第１、第２収納ケース１１、１２を貯蔵室内に備えた冷蔵庫１において、第２収納ケース１２の上方に隣接する第１収納ケース１１の底面は両側部でそれぞれ枢支される第１、第２底板２１、２２を連結して成り、第１、第２底板２１、２２の連結解除により第１収納ケース１１の底面を開放した際に第１、第２底板２１、２２が第２収納ケース１２に嵌合して第１、第２収納ケース１１、１２を一体に出し入れ可能にした。【選択図】      図６
2006242520.tif 000002
【特許請求の範囲】
【請求項１】
前面から引き出して貯蔵物を収納する上下に並んで配された第１、第２収納ケースを貯蔵室内に備えた冷蔵庫において、第２収納ケースの上方に隣接する第１収納ケースの底面を開閉可能に形成し、該底面を開放した際に第１、第２収納ケースを一体に出し入れ可能にしたことを特徴とする冷蔵庫。
【請求項２】
第１収納ケースの底面は第１収納ケースの両側部でそれぞれ枢支される第１、第２底板から成り、第１、第２底板の開放端を連結可能に形成するとともに、連結解除した際に回動して下方に延びた第１、第２底板が第２収納ケースに嵌合することを特徴とする請求項１に記載の冷蔵庫。
【請求項３】
第１、第２底板の開放端は一部を切欠いて形成される凹部と凸部とが隣接して設けられ、第１底板の前記凸部を第２底板の前記凹部の枢支側に重ねるとともに、第２底板の前記凸部を第１底板の前記凹部の枢支側に重ねて第１、第２底板を連結したことを特徴とする請求項２に記載の冷蔵庫。
【請求項４】
第１収納ケースの側面を支持して前後に案内する案内部を設けたことを特徴とする請求項１〜請求項３のいずれかに記載の冷蔵庫。
【発明の詳細な説明】
【技術分野】
【０００１】
本発明は、貯蔵物を収納する複数の収納ケースを有した冷蔵庫に関する。
【背景技術】
【０００２】
従来の冷蔵庫は特許文献１に開示されている。この冷蔵庫は引き出して貯蔵物を収納する複数の収納ケースが縦方向に並んで貯蔵室内に設けられている。図９は上下に並ぶ収納ケースの収納状態を示す正面図である。収納ケース１１、１２には目的等に応じて貯蔵物Ｗが分けて収納される。各収納ケース１１、１２に貯蔵物Ｗを整理して収納することにより、貯蔵物Ｗの取出しを容易にして冷蔵庫の利便性が向上されるようになっている。
【特許文献１】特開２００３−２７９２４０号公報（第２頁−第４頁、第１図）
【発明の開示】
【発明が解決しようとする課題】
【０００３】
しかしながら、上記従来の冷蔵庫によると、収納ケース１１、１２内には貯蔵物Ｗが配されない無駄なスペースＳ１、Ｓ２が形成され、収納効率が悪い問題や、収納ケース１１、１２よりも大きい食品を保存できない問題があった。
【０００４】
本発明は、貯蔵物を整理できるとともに収納効率を向上でき、大物食品の収納性も損なわない冷蔵庫を提供することを目的とする。
【課題を解決するための手段】
【０００５】
上記目的を達成するために本発明は、前面から引き出して貯蔵物を収納する上下に並んで配される第１、第２収納ケースを貯蔵室内に備えた冷蔵庫において、第２収納ケースの上方に隣接する第１収納ケースの底面を開閉可能に形成し、該底面を開放した際に第１、第２収納ケースを一体に出し入れ可能にしたことを特徴としている。
【０００６】
この構成によると、第１収納ケースの底面を閉塞した状態で貯蔵物が第１、第２収納ケースに分けて整理して収納される。第１収納ケースの底面を開放すると第１、第２収納ケースが連通し、一体化した容積の大きい収納ケース内に貯蔵物が収納される。
【０００７】
また本発明は、上記構成の冷蔵庫において、第１収納ケースの底面は第１収納ケースの両側部でそれぞれ枢支される第１、第２底板から成り、第１、第２底板の開放端を連結可能に形成するとともに、連結解除した際に回動して下方に延びた第１、第２底板が第２収納ケースに嵌合することを特徴としている。
【０００８】
この構成によると、例えば、第１貯蔵室の左下端に第１底板が枢支され、右下端に第２底板が枢支される。第１、第２底板の開放側の端部を連結して第１収納ケースの底面が閉塞され、第１、第２底板の開放側の端部の連結を解除すると第１収納ケースの底面が開放される。連結解除により垂下した第１、第２底板は第２収納ケースに嵌合し、第２収納ケースの前後壁と第１、第２底板とが当接して第１、第２収納ケースが一体に移動可能になる。
【０００９】
また本発明は、上記構成の冷蔵庫において、第１、第２底板の開放端は一部を切欠いて形成される凹部と凸部とが隣接して設けられ、第１底板の前記凸部を第２底板の前記凹部の枢支側に重ねるとともに、第２底板の前記凸部を第１底板の前記凹部の枢支側に重ねて第１、第２底板を連結したことを特徴としている。この構成によると、第１、第２底板の凸部の先端を上方に持ち上げることにより第１、第２底板の連結が解除される。
【００１０】
また本発明は、上記構成の冷蔵庫において、第１収納ケースの側面を支持して前後に案内する案内部を設けたことを特徴としている。
【発明の効果】
【００１１】
本発明によると、上方の第１収納ケースの底面を開閉可能に形成し、該底面を開放した際に第１、第２収納ケースを一体に出し入れ可能にしたので、第１収納ケースの底面を閉じた際に貯蔵物を第１、第２収納ケースに分けて収納して貯蔵物を整理することができる。また、第１収納ケースの底面を開いた際に、連通した第１、第２収納ケースに跨って貯蔵物を収納することができるとともに、第１、第２収納ケース間の隙間にも貯蔵物を収納することができる。従って、無駄なスペースを削減して収納効率を向上することができ、、第１、第２収納ケースの高さよりも大きな貯蔵物の収納も可能である。
【００１２】
また本発明によると、第１収納ケースの両側部で枢支される第１、第２底板の開放端を連結可能に形成したので、第１収納ケースの底面を容易に開閉できる。また、第１、第２底板を連結解除した際に第１、第２底板が第２収納ケースに嵌合するので、第１、第２底板が第１、第２収納ケース間の側壁となり貯蔵物の脱落を防止できる。更に、第１収納ケースを開いた際に第１、第２収納ケースを連結する部材を別途必要とせず、簡単に第１、第２収納ケースを一体に出し入れすることができる。
【００１３】
また本発明によると、第１、第２底板の開放端に設けた凹部及び凸部により第１、第２底板が互いに重なり合うようにしたので、第１、第２底板を簡単に連結及び連結解除することができる。
【００１４】
また本発明によると、第１収納ケースの側面を支持して前後に案内する案内部を設けたので、第１収納ケースの底面を容易に開放できるとともに、第１、第２収納ケースの左右方向が位置決めされ、一体化した第１、第２収納ケースを容易に出し入れすることができる。
【発明を実施するための最良の形態】
【００１５】
以下に本発明の実施形態を図面を参照して説明する。図１は一実施形態の冷蔵庫を示す正面図である。説明の便宜上、前述の図９に示す従来例と同一の部分は同一の符号を付している。冷蔵庫１は上段に冷蔵室２が設けられ、下段に野菜室３と冷凍室４とが左右に並んで配置される。
【００１６】
冷蔵室２は回動式の扉２ａにより前面を覆われ、左右端に設けられたハンドル５、６の操作によって左右どちらからでも開閉可能になっている。野菜室３は冷凍室４から離れた側で枢支される回動式の扉３ａにより開閉可能になっている。冷凍室４は野菜室３から離れた側で枢支される回動式の扉４ａ、４ｂが上下に配され、扉４ａ、４ｂにより開閉可能になっている。
【００１７】
図２は冷蔵庫１の扉２ａ、３ａ、４ａ、４ｂを開いた状態を示す正面図である。冷凍室４内には前方に引き出して貯蔵物を収納する収納ケース１１、１２、１３が縦方向に並んで配される。野菜室３にも同様に収納ケース１４、１５、１６、１７が縦方向に並んで配される。
【００１８】
図３は収納ケース１１（第１収納ケース）及び収納ケース１２（第２収納ケース）を示す斜視図である。収納ケース１１、１２は仕切壁等を介さず上下に隣接して配置され、後述するように側面を支持して前後にスライド可能になっている。
【００１９】
図４は上方の収納ケース１１の底面を示す平面図である。また、図５は図４のＡ−Ａ断面図である。収納ケース１１の底面は略中央で分割される第１、第２底板２１、２２が設けられる。第１、第２底板２１、２２は収納ケース１１の側壁２０側の端部に軸部２１ａ、２２ａが設けられ、軸部２１ａ、２２ａに沿った複数の開口部２１ｂ、２２ｂが形成される。収納ケース１１の側壁２０の下端には、開口部２１ｂ、２２ｂに対応する位置にＵ字型に曲折したＵ字部２０ａが形成され、軸部２１ａ、２２ａと嵌合する。これにより、第１、第２底板２１、２２の収納ケース１１の両側壁２０に枢支される。
【００２０】
第１、第２底板２１、２２の開放側の端部は一部を切欠いた凹部２１ｃ、２２ｃが形成され、凹部２１ｃ、２２ｃに隣接して面内で突出する凸部２１ｄ、２２ｄが形成される。第１底板２１の凹部２１ｃは第２底板２２の凸部２２ｄに対応する位置に設けられる。第２底板２２の凹部２２ｃは第１底板２１の凸部２１ｄに対応する位置に設けられる。
【００２１】
そして、第１底板２１の凸部２１ｄが第２底板２２の凹部２２ｃの枢支側に重ねられ、第２底板２２の凸部２２ｄが第１底板２１の凹部２１ｃの枢支側に重ねられる。その結果、第１、第２底板２１、２２が互いに係合して連結され、収納ケース１１の底面が閉塞される。これにより、前述の図９に示す従来例と同様に、収納ケース１１、１２には分けて貯蔵物Ｗが収納され、貯蔵物Ｗを整理して利便性の高い冷蔵庫１を得ることができる。
【００２２】
第１、第２底板２１、２２の凸部２１ｄ、２２ｄを上方に引き上げると、第１、第２底板２１、２２の係合による連結が解除され、第１、第２底板２１、２２が回動自在になる。図６に示すように、第１、第２底板２１、２２を垂下すると、第１、第２底板２１、２２が収納ケース１２内に配される。
【００２３】
第１、第２底板２１、２２は前後方向の幅Ｄが収納ケース１２の前後方向の内寸と一致しており、収納ケース１２に嵌合する。これにより、第１、第２底板２１、２２が収納ケース１１、１２間の側壁となり貯蔵物の脱落を防止できる。また、収納ケース１１、１２の前後方向が位置決めされ、収納ケース１１、１２を連結する部材を別途必要とせず前後に一体に移動可能になる。
【００２４】
図７はこの状態の正面図を示している。冷凍室４の側壁４ｃには複数のローラー１３（案内部）が設けられる。収納ケース１１、１２の側面には前後に延びたレール１１ａ、１２ａが設けられる。ローラー１３はレール１１ａ、１２ａに嵌合して収納ケース１１、１２の側面を支持し、収納ケース１１、１２を前後方向に案内する。これにより、収納ケース１１、１２をそれぞれ簡単にスライド移動することができる。
【００２５】
また、収納ケース１１、１２の側面をローラー１３で支持することにより、底面を開放できる収納ケース１１を容易に実現できる。加えて、収納ケース１１、１２の左右方向が位置決めされ、一体化した収納ケース１１、１２を容易に出し入れすることができる。尚、収納ケース１１、１２の側面にローラーを設けて冷凍室４の側壁４ｃにレールを設けてもよい。
【００２６】
図８は収納ケース１１の底面を開放して一体化された収納ケース１１、１２に貯蔵物を収納した状態を示す正面図である。同図に示すように、連通した収納ケース１１、１２に跨って貯蔵物Ｗを収納することができるとともに、収納ケース１１、１２間の隙間にも貯蔵物Ｗを収納することができる。従って、無駄なスペースを削減して収納効率を向上することができ、収納ケース１１、１２の高さよりも大きな貯蔵物の収納も可能である。
【００２７】
本実施形態において、収納ケース１１の底面を開放して収納ケース１２と一体化しているが、収納ケース１２の底面を開放して収納ケース１３と一体化してもよい。また、野菜室３に配される収納ケース１４〜１７やその他の貯蔵室に配される収納ケースを一体化してもよい。
【産業上の利用可能性】
【００２８】
本発明によると、複数の収納ケースを縦方向に並べて配置した冷蔵庫に利用することができる。
【図面の簡単な説明】
【００２９】
【図１】本発明の実施形態の冷蔵庫を示す正面図
【図２】本発明の実施形態の冷蔵庫の扉を開いた状態を示す正面図
【図３】本発明の実施形態の冷蔵庫の上下に隣接する第１、第２収納ケースを示す斜視図
【図４】本発明の実施形態の冷蔵庫の第１収納ケースの底面を示す平面図
【図５】図４のＡ−Ａ断面図
【図６】本発明の実施形態の冷蔵庫の第１収納ケースの底面を開放した状態を示す斜視図
【図７】本発明の実施形態の冷蔵庫の第１収納ケースの底面を開放した状態を示す正面図
【図８】本発明の実施形態の冷蔵庫の第１収納ケースの底面を開放したときの収納状態を示す正面図
【図９】従来の冷蔵庫の収納ケースの収納状態を示す正面図
【符号の説明】
【００３０】
１    冷蔵庫
２    冷蔵室
３    野菜室
４    冷凍室
１１〜１７  収納ケース
１３    ローラー
２０    側壁
２１    第１底板
２１ｃ、２２ｃ  凹部
２１ｄ、２２ｄ  凸部
２２    第２底板
Ｗ    貯蔵物
【図１】
2006242520.tif 000003
【図２】
2006242520.tif 000004
【図３】
2006242520.tif 000005
【図４】
2006242520.tif 000006
【図５】
2006242520.tif 000007
【図６】
2006242520.tif 000008
【図７】
2006242520.tif 000009
【図８】
2006242520.tif 000010
【図９】
2006242520.tif 000011